(57)【特許請求の範囲】
【請求項１】
不使用時には座板が直立姿勢で座板保持部材に保持され、この姿勢から座板を上方へスライド移動させることで座板が回動可能となり、座板を地面に対して略平行な姿勢まで回動させて使用する折り畳み椅子において、
前記座板の両側の側面部に形成された長孔に対して相対移動自在に係合するように、前記座板保持部材に取り付けられる回動支持軸と、
前記座板に設けられた平面状の座部と面的に接触し、当該座部との係止で座板の直立姿勢を保持すると共に、前記座板の上方へのスライド移動を案内するスライド移動案内部と、
前記スライド移動案内部の案内による前記座板の上方へのスライド移動で前記座板が前記スライド移動案内部から離脱して回動可能となったとき、この回動時における前記長孔と前記回動支持軸の相対位置を保持するために、前記座板下部の回動動作を案内する回動動作案内部と
を備えた折り畳み椅子。
【請求項２】
前記スライド移動案内部及び回動動作案内部は、前記座板下部の動作に合わせた曲線形状を有する一部材で構成される請求項１に記載の折り畳み椅子。
【請求項３】
前記スライド移動案内部及び回動動作案内部は、前記座板下部の隅部近傍に当接するように前記座板保持部材に取り付けられている請求項２に記載の折り畳み椅子。
【請求項４】
前記座板は、その上端部の上方が前記座板保持部材に覆われる状態とされて前記座板保持部材に取り付けられ、
前記スライド移動案内部は、前記座板を、前記座部と面的に接触して直立姿勢に保持した状態で、当該座板の上端部が、その上方を覆う前記座板保持部材から逃れる位置まで弾性変形して当該座板を傾斜させ、当該傾斜した状態の座板が、その上端部側の方向にスライド移動する構成とされている請求項１乃至請求項３のいずれかに記載の折り畳み椅子。
【請求項５】
前記座板保持部材は、壁面等に埋め込み可能とされ、前記スライド移動案内部に直立姿勢で保持された状態にある前記座板の上部及び側部の少なくとも一部を覆って収納する構成とされている請求項４に記載の折り畳み椅子。
【発明の詳細な説明】
【０００１】
【発明の属する技術分野】
本発明は、不使用時には座板が直立姿勢で保持され、座板を地面に略平行な姿勢まで回動させて使用する折り畳み椅子に関する。
【０００２】
【従来の技術】
従来から、不使用時には座板が直立姿勢で座板保持部材に保持され、この姿勢から座板を上方へスライド移動させることで座板が回動可能となり、座板を地面に対して略平行な姿勢まで回動させた状態で使用する折り畳み椅子が知られている。このような折り畳み椅子は、座板保持部材を壁面等に取り付けることによって、不使用時には座板を壁面等に沿った状態としておき、使用時にのみ座板が壁面等から突出した状態にすることができるため、不使用時に折り畳み椅子の周囲を広く使用することができる。
【０００３】
【発明が解決しようとする課題】
しかしながら、上記のような従来の折り畳み椅子は、使用時に座板を回動させようとして座板を上方にスライド移動させるとき、座板保持部材に対する座板の姿勢が安定しないため、座板を上方に移動させる作業が不便であった。また、座板を回動させるときは、ユーザは座板を上方へ持ち上げた状態を維持したままで回動させなくてはならず、回動操作も不便であった。
【０００４】
本発明は、上述した問題点を解決するためになされたものであり、座板のスライド移動動作及び回動動作を円滑に行うことができる折り畳み椅子を提供することを目的とする。
【０００５】
【課題を解決するための手段】
上記目的を達成するために請求項１に記載の発明は、不使用時には座板が直立姿勢で座板保持部材に保持され、この姿勢から座板を上方へスライド移動させることで座板が回動可能となり、座板を地面に対して略平行な姿勢まで回動させて使用する折り畳み椅子において、
前記座板の両側の側面部に形成された長孔に対して相対移動自在に係合するように、前記座板保持部材に取り付けられる回動支持軸と、
前記座板に設けられた平面状の座部と面的に接触し、当該座部との係止で座板の直立姿勢を保持すると共に、前記座板の上方へのスライド移動を案内するスライド移動案内部と、
前記スライド移動案内部の案内による前記座板の上方へのスライド移動で前記座板が前記スライド移動案内部から離脱して回動可能となったとき、この回動時における前記長孔と前記回動支持軸の相対位置を保持するために、前記座板下部の回動動作を案内する回動動作案内部と
を備えたものである。
【０００６】
この構成によれば、スライド移動案内部によって略鉛直方向へのスライド移動が案内されるため、かかるスライド移動時の座板の姿勢が安定する。また、回動動作案内部によって座板下部の回動動作が案内され、座板の長孔と回動支持軸との相対位置が保持されるため、座板の回動動作時における回動支持軸及び座板支持部材に対する座板の相対位置が安定する。これにより、座板使用時に、ユーザが、座板を安定した位置及び姿勢に保ちながら上方へスライド移動させたり、回動動作させる必要がなくなるので、座板の回動操作を円滑に行うことができる。
【０００７】
また、上記構成では、座板はスライド移動案内部との係止により直立姿勢が保持され、スライド移動案内部から離脱したときに回動可能となる構成をとり、ばね等の部材を用いることなく座板の直立姿勢の保持及び回動を行うようにしている。従って、変形・伸縮する部品を使用することなく座板の直立姿勢の保持及び回動を行うので、部品を消耗・損傷させるおそれがなく、折り畳み椅子の製品寿命を長くすることができる。また、引きばね等の弾力性を利用して座板の直立姿勢を保持し、回動姿勢を安定化させる構成をとる従来の折り畳み椅子では、座板を回動させた時、引きばね等の弾性力によって座板が直立姿勢に戻ろうとするために、座板と座板保持部材の間に指等を挟んでしまうおそれがあったが、本発明に係る折り畳み椅子は、ばね等の部材を用いていないので、優れた安全性を発揮する。
【０００８】
また、請求項２に記載の発明は、請求項１に記載の折り畳み椅子であって、前記スライド移動案内部及び回動動作案内部は、前記座板下部の動作に合わせた曲線形状を有する一部材で構成されるものである。
【０００９】
また、請求項３に記載の発明は、請求項２に記載の折り畳み椅子であって、前記スライド移動案内部及び回動動作案内部は、前記座板下部の隅部近傍に当接するように前記座板保持部材に取り付けられているものである。
【００１０】
これらの構成によれば、スライド移動案内部及び回動動作案内部を、複雑な構造を要することなく簡単な構造でもって製造することができる。また、スライド移動案内部及び回動動作案内部の形状を変化させることで、座板のスライド移動動作及び回動動作の案内を、簡単に座板下部の形状・動作に対応させることができる。
【００１１】
また、請求項４に記載の発明は、請求項１乃至請求項３のいずれかに記載の折り畳み椅子であって、前記座板は、その上端部の上方が前記座板保持部材に覆われる状態とされて前記座板保持部材に取り付けられ、
前記スライド移動案内部は、前記座板を、前記座部と面的に接触して直立姿勢に保持した状態で、当該座板の上端部が、その上方を覆う前記座板保持部材から逃れる位置まで弾性変形して当該座板を傾斜させ、当該傾斜した状態の座板が、その上端部側の方向にスライド移動する構成とされているものである。
【００１２】
この構成によれば、スライド移動案が弾性変形することによって、直立姿勢に保持された状態の座板を、その上方を覆う前記座板保持部材から逃れる位置まで傾斜させ、当該座板をその上端部側の方向にスライド移動させることが可能であるので、直立姿勢で保持された状態の座板の真上にスライド移動のためのスペースが無くても座板をスライド移動させて、座板を回動可能状態にすることが可能になる。
【００１３】
また、請求項５に記載の発明は、請求項４に記載の折り畳み椅子であって、前記座板保持部材は、壁面等に埋め込み可能とされ、前記スライド移動案内部に直立姿勢で保持された状態にある前記座板の上部及び側部の少なくとも一部を覆って収納する構成とされているものである。
【００１４】
この構成によれば、座板を、直立姿勢に保持された状態から所定量傾斜させてその上端部側方向にスライド移動させることにより、座板保持部材が座板上部を覆う部分を避けて座板をスライド移動させることが可能である。これにより、省スペース化のために座板の上部及び下部を座板保持部材に収納した構成が採られ、座板の真上にスライド移動のためのスペースを設けることができない場合であっても、座板の上記スライド移動動作を円滑に行うことができる。
【００１５】
【発明の実施の形態】
以下、本発明の第１実施形態に係る折り畳み椅子について図面を参照して説明する。図１は不使用時に座板が直立状態に保持された折り畳み椅子の斜視図、図２は使用時に座板が地面に略平行な姿勢とされた状態の折り畳み椅子を示す図である。本発明に係る折り畳み椅子１は、ユーザが腰を掛けるための座板２と、座板２を回動自在に支持する座板保持部材３とを備えている。図１に示すように、折り畳み椅子１の不使用時には座板２が直立姿勢で座板保持部材３に保持され、図２に示すように、使用時には座板２が地面に対して略平行な姿勢まで回動された状態で座板保持部材３に保持されるようになっている。
【００１６】
折り畳み椅子１の各部の構造について説明する。図３は折り畳み椅子１の分解斜視図、図４は折り畳み椅子１の案内部材を示す斜視図である。座板２は平板状の部材からなり、その上面部にユーザが腰を掛ける平面状の座部２１が形成されている。座板２の手前側の先端部分、すなわち、座板２を直立状態にした場合の上端部分には切り欠き部２２が設けられており、座板２の回動操作時にユーザが切り欠き部２２に手を挿し入れて、取手部２３を握ることができるようにされている。また、座板２の両側の側面部には、側面部の長さ方向に延びる長孔２４が設けられている。長孔２４は、座板２の直立状態において中心部よりも下方側に設けられている。この長孔２４に、座板保持部材３に取り付けられた回動支持軸３３（後述）が嵌入されることによって、座板２が座板保持部材３に回動自在に支持されるようになっている。
【００１７】
座板保持部材３は壁面等に取り付けられるものであり、その背面部３１を壁面に当接させた状態として取り付ける、座板２が取り付けられる突出部３２部分のみを壁面から突出させ、突出部３２以外の部分は壁面に埋め込んで壁面に取り付ける、等の方法による。また、背面部３１から突出部３２を含む全ての部分を壁面に埋め込んで取り付けることも可能であり、この場合は、不使用時に座板２を直立状態としたとき、座板２が壁面から突出しないように設計することも可能である。
【００１８】
座板保持部材３の側面部に設けられた孔部３４には回動支持軸３３が取り付けられている。回動支持軸３３は孔部３４を通して座板２の長孔２４に嵌入され、座板２を回動自在に支持するものである。回動支持軸３３としては、座板保持部材３に係止させるためにボルトや頭付のピン等が用いられることが好ましく、座板保持部材３への取り付けを完了した状態において、図１及び図２に示すように、回動支持軸３３と座板保持部材３の側面部とがフラットな状態となるようにされている。
【００１９】
座板２の座板保持部材３への取り付けは、座板２の長孔２４を座板保持部材３の孔部３４にあてがった状態とし、この状態において、座板保持部材３の側方から長孔２４を通して回動支持軸３３を長孔２４に嵌入させることによって行う。回動支持軸３３の径は、長孔２４内で相対的に移動可能となるように、長孔２４の幅よりも若干小さく設定されている。
【００２０】
また、座板保持部材３内の両側の側面部には、座板２下部の隅部近傍に当接するようにして、案内部材４が取り付けられる。案内部材４は、座板保持部材３に当接させて取り付けられる取付部４１と、回動支持軸３３よりも下方で座板２を保持することによって座板２の直立姿勢時における上方へのスライド移動、及び座板２の回動動作を案内する案内部４３と、取付部４１に対する案内部４３の取付状態を支持する支持部４４と、座板２が地面に略平行な姿勢まで回動したときに座板２に係止して、その姿勢で座板２を保持する係止部４５とからなる。この係止部４５は、その上面が座板保持部材３内の上壁に当接するようにして座板保持部材３に取り付けられる。また、案内部材４には、座板保持部材３の孔部３４に通じ、回動支持軸３３が嵌入される孔部４７が設けられている。
【００２１】
上記案内部４３は、座板２が直立状態にあるときに、座板２の座部２１の下部に面的に接触して座板２の上下方向へのスライド移動を案内するスライド移動案内部４３ａと、座板２の回動時に座板２の下端部に接触可能とされ、その回動動作を案内する回動動作案内部４３ｂとからなる。スライド移動案内部４３ａは、直立状態にある座板２の座部２１に面接触するために、座部２１との接触面が略鉛直方向に延びるように形成されている。このスライド移動案内部４３ａは、座板２に係止して座板２の直立状態を保持する機能をも果たしており、座板２が直立状態にあるときに、座板２を上方へスライド移動させることによって（このとき長孔２４は回動支持軸３３に対して相対的に移動する）、座板２とスライド移動案内部４３ａとの接触・非接触状態（すなわち、座板２の直立状態の保持・非保持状態）が切り換わるようになっている。回動動作案内部４３ｂは、座板２の回動時における長孔２４と回動支持軸３３の相対位置を保持するために、座板２の下部に接触するものであり、その形状は座板２下部の形状や回動方向に応じて形成される。
【００２２】
なお、案内部材４の材質は特に限定されるものではなく、金属、合成樹脂等があげられるが、強度を有する合成樹脂によって製造すれば、成形の容易性等の点から低コストでの製造が可能である。
【００２３】
次に、座板２の回動動作について説明する。図５（ａ）乃至（ｄ）は座板２の回動動作を示す折り畳み椅子１の側面図である。なお、図５においては、座板保持部材３に対する座板２の姿勢を明瞭に示すため、座板２を２点鎖線で示している。図５（ａ）に示すように、座板２が直立状態で座板保持部材３に支持されているときは、座板２は、その重みによって下方に下がり、回動支持軸３３は長孔２４の上端部に係止している。このとき、座板２は、その重みにより回動支持軸３３を回動軸として図５（ａ）の反時計回り方向に回動しようとするが、回動支持軸３３よりも下方において、案内部材４のスライド移動案内部４３ａが座板２の座部２１に接触・係止しているので、座板２は座板保持部材３に直立した姿勢が保持されている。
【００２４】
折り畳み椅子１の使用時、座板２を地面に略平行な状態まで回動させる場合は、図５（ｂ）に示すように、座板２を上方にスライド移動させて持ち上げた状態とし、案内部材４のスライド移動案内部４３ａと座板２とを非接触状態として、座板２の直立状態が案内部材４に保持された状態を解除する。このとき、座板２は、回動支持軸３３が長孔２４の下端部に係止する状態まで上方に持ち上げられる。
【００２５】
座板２を持ち上げ、座板２の下部がスライド移動案内部４３ａから離れると、図５（ｃ）に示すように、座板２は反時計回り方向に回動可能になる。この座板２の回動動作時、座板２の上端部が反時計回り方向に回動すると同時に、座板２の下端部も回動支持軸３３を回動支点として反時計回り方向に回動する。このように座板２の下端部が回動する時、座板２の下端部の回動方向が案内部材４の回動動作案内部４３ｂによって規制され、よって、回動動作案内部４３ｂに座板２の下端部が案内されて回動する。座板２の長孔２４と回動支持軸３３との相対的な位置関係が一定に保たれるようになっている。すなわち、回動支持軸３３が長孔２４の下端部に係止した状態が保たれるように、座板２の座板保持部材３に対する相対位置が保持される。
【００２６】
座板２が更に反時計回り方向に回動していき、座板２の下端部が回動動作案内部４３ｂの上端から離れ、座板２が地面に略平行な姿勢まで回動すると、図５（ｄ）に示すように、座板２の下端部（図５（ｄ）では右端部）が案内部材４の係止部４５に係止する。このように座板２の下端部が係止部４５に係止することによって、座板２の反時計回り方向への回動が抑止され、座板２は地面に略平行な姿勢で座板保持部材３に保持される。なお、この状態においては、座板２の下端部（図５（ｄ）では右端部）が座板保持部材３の側壁に接近した状態となるようになっており、座板２の水平方向への移動が一定範囲内に制限され、座板２の座板保持部材３に対する相対位置が保持されるようになっている。
【００２７】
このように、本実施形態の折り畳み椅子１によれば、案内部材４のスライド移動案内部４３ａによって座板２の上下方向へのスライド移動が案内されるため、かかるスライド移動時の座板２の姿勢は安定したものとなる。また、案内部材４の回動動作案内部４３ｂによって座板２の下部が保持され、座板２の長孔２４と回動支持軸３３との相対位置が保持されるため、座板２の回動動作時において、回動支持軸３３及び座板保持部材３に対する座板２の相対位置及び姿勢が安定する。これにより、ユーザが座板２を安定した位置及び姿勢に保ちながら上方へスライド移動させたり、回動動作させる必要がなくなるので、座板２の回動操作を円滑に行うことができる。
【００２８】
なお、本発明は上記実施の形態の構成に限られず種々の変形が可能である。例えば、上記実施の形態では、案内部材４は、座板保持部材３内の両側の側部に取り付けられるものとされているが、座板２の直立状態での保持及び座板２の回動時における座板２下端部の案内が可能であれば、座板保持部材３内の側部のいずれか一方にのみ取り付けることも可能である。このように座板保持部材３内の側部のいずれか一方のみに案内部材４を取り付ける場合は、上記図３で示した場合よりも、座板２との接触面を大きくすることによって、十分に座板２の直立姿勢を保持し、座板２の回動動作を案内できるようにすることが望ましい。但し、案内部材４を座板保持部材３内の両側の側部に取り付ける場合の方が、座板２の回動支持軸３３及び座板保持部材３に対する姿勢をより安定させることができる。
【００２９】
次に、本発明の第２の実施形態に係る折り畳み椅子について説明する。図６は不使用時に座板が直立状態に保持された第２の実施形態に係る折り畳み椅子の斜視図、図７は使用時に座板が地面に略平行な姿勢とされた第２の実施形態に係る折り畳み椅子を示す図である。本発明の第２の実施形態に係る折り畳み椅子１００は、ユーザが腰を掛けるための座板１２と、座板１２を回動自在に支持する座板保持部材１３とを備えている。第１の実施形態に係る折り畳み椅子１と同様に、折り畳み椅子１００の不使用時には座板１２が直立姿勢で座板保持部材１３に保持され（図６）、使用時には座板１２を地面に対して略平行な姿勢まで回動させて使用するようになっている（図７）。折り畳み椅子１００の構造は、その概略は折り畳み椅子１と同様であるため、以下は主に折り畳み椅子１との相違点を説明する。
【００３０】
座板１２は、座板保持部材１３に直立状態で保持されているときに手前側となる側面部に穴部１２２が設けられており、座板１２の使用時にユーザが穴部１２２に指を挿し入れて、座板１２を手前側に回動させることができるようになっている。また、座板１２の両側面部の長孔１２４に嵌入して座板１２を回動自在に軸支する回動支持軸１３３は案内部材１４に取り付けられており、この案内部材１４が座板保持部材１３にビス２００で固定されることによって、座板１２が座板保持部材１３に回動自在に保持されるようになっている。
【００３１】
図８は座板保持部材１３の斜視図である。座板保持部材１３は壁面等に埋め込んで設置されるものであり、露出部１３２のみを壁面等から露出させ、露出部１３２以外の座板収納部１３４部分は壁面等から露出しないように設置される。よって、壁面等に折り畳み椅子１００を設置した後は、座板保持部材１３の露出部１３２及び案内部材１４の一部のみが壁面等から露出した状態となる。
【００３２】
座板保持部材１３は、上記露出部１３２及び座板収納部１３４からなる外枠１３５と、直立姿勢にある座板１２の側面部を支持すると共に外枠１３５を補強する役割を果たす桟部材１３６と、この桟部材１３６に取り付けられる化粧板１３７（図７）とからなる。
【００３３】
座板保持部材１３の外枠１３５には、案内部材１４を嵌め込むための凹部１３５ａが設けられている。この凹部１３５ａは座板保持部材１３の内側壁に設けられており、当該内側壁の高さ方向中心部よりも下方に設けられている。凹部１３５ａは案内部材１４の外形に合わせた形状とされ、案内部材１４を凹部１３５ａに取り付け固定するためのピン挿込口１３５ｂが、その内部に設けられている。
【００３４】
図９（ａ）は案内部材１４の斜視図であり、（ｂ）は（ａ）とは別角度から見た案内部材１４の斜視図である。案内部材１４は、（１）その片方の側面部から他方の側面部に貫通する孔部１４７に嵌入される回動支持軸１３３（図６）によって、座板１２を回動自在に軸支する機能を有すると共に、（２）座板１２の回動時における長孔１２４（図７）と回動支持軸１３３の相対位置を保持すべく座板１２の下端部の回動動作を案内する機能を有する。
【００３５】
案内部材１４は、座板保持部材１３の凹部１３５ａに嵌入されて取り付けられる取付部１４１と、座板１２に係止して座板１２の傾斜時（後述）における座板１２の上端部側方向へのスライド移動、及び座板２の回動動作を案内する案内部１４３と、座板１２が地面に略平行な姿勢まで回動したときに座板１２に係止して、その姿勢で座板１２を保持する係止部１４５とを有している。この係止部１４５は、案内部材１４を凹部１３５ａに取り付けたときにその上面が桟部材１３６の下面部に当接するようになっている。また、案内部材１４の上面部には、案内部材１４の凹部１３５ａへの抜き差し方向に延びる溝部１４６が設けられており、この溝部１４６と凹部１３５ａ内に設けられている突部（不図示）とが填まり合うことによって、案内部材１４の凹部１３５ａ内への挿入方向が定められると共に、当該挿入方向に直交する方向における案内部材１４の凹部１３５ａに対する位置決めがなされる。なお、案内部材１４の正面部の上端部及び下端部近傍には、ビス２００（図６及び図７）を嵌入するための孔１４８が設けられている。ビス２００は、この孔１４８を貫通して凹部１３５ａ内の挿込口１３５ｂに嵌入されるようになっている。
【００３６】
上記案内部１４３は、折り畳み椅子１（第１実施形態）の案内部４３と同様に、座板１２が直立状態にあるときに、座板１２の座部１２１の下部に面的に接触して座板１２の上下方向へのスライド移動を案内するスライド移動案内部１４３ａと、座板１２の回動時に座板１２の下端部に接触して、座板１２の回動動作を案内する回動動作案内部１４３ｂとからなる。
【００３７】
少なくともスライド移動案内部１４３ａは弾性力を有する素材で形成されている。スライド移動案内部１４３ａ部分は取付部１４１には固着されておらず、回動動作案内部１４３ｂ部分のみが取付部１４１に固着されている。スライド移動案内部１４３ａには、折り畳み椅子１（第１実施形態）に設けられている支持部４４は設けられておらず、スライド移動案内部１４３ａが座板１２を直立姿勢に保持した状態のままで弾性変形して、座板１２を傾斜した姿勢とすることが可能とされている。これにより、スライド移動案内部１４３ａは、当該傾斜した状態の座板１２をその上端部側方向にスライド移動させ、そのスライド移動方向を案内するようになっている。
【００３８】
スライド移動案内部１４３ａの弾性変形量（所定量）は、座板１２が、その上端部が上方を覆う座板保持部材１３部分から逃れる位置まで移動可能となるように設定され、この座板１２の真上の座板保持部材１３部分を避けて上記スライド移動ができるように構成されている。また、スライド移動案内部１４３ａの弾性力は、不使用時に座板１２との係止により座板１２を直立姿勢に保持することができ、かつユーザが座板１２の穴部１２２を手前に引いたときには弾性変形し得る程度の力に設定される。
【００３９】
なお、案内部材４の材質は特に限定されるものではなく、上記弾性力を有する材質であれば、金属、合成樹脂等によって構成することが可能である。また、案内部材１４は、回動支持軸１３３を案内部材１４に取り付け、回動支軸時１３３を座板１２の長孔１２４に嵌入させ、案内部材１４に座板１２が回動自在に取り付けられた状態に組み付けてから、座板１２と共に座板保持部材１３に取り付けられる。
【００４０】
次に、座板１２の回動動作について説明する。図１０（ａ）（ｂ）（ｃ）及び図１１(ｄ)（ｅ）は座板１２の回動動作を示す折り畳み椅子１００の側面図である。なお、図１０，図１１においては、座板保持部材１３に対する座板１２の姿勢を明瞭に示すため、座板１２を２点鎖線で示している。図１０（ａ）に示すように、座板１２が直立状態で座板保持部材１３に支持されているときは、座板１２は、その重みによって下方に下がり、回動支持軸１３３は長孔１２４の上端部に係止している。このとき、座板１２はスライド移動案内部１４３ａとの接触・係止により、折り畳み椅子１（第１実施形態）の場合と同様に、座板保持部材１３に直立した姿勢が保持されている。
【００４１】
折り畳み椅子１００の使用時に、座板１２を地面に略平行な状態まで回動させる場合は、座板１２が上記直立姿勢であって、長孔１２４の上端部に回動支持軸１３３が係止した状態にあるときに（図１０（ａ）に示す状態）、穴部１２２に指を挿し入れて座板１２を手前側（図１０（ａ）で左側）に倒し、図１０（ｂ）に示すように傾斜させる。スライド移動案内部１４３ａは弾性変形可能に構成されているため、この座板１２の傾斜に応じて弾性変形する。これにより、座板１２の上端部が座板保持部材１３から離れ、座板１２の上端部の上方に座板保持部材１３が存在しない状態にする。
【００４２】
上記のように座板１２を傾斜させた後、ユーザは、傾斜した状態の座板１２をその上端部側方向に持ち上げ、座板１２の側面をスライド移動案内部１４３ａに対してスライドさせながら上方に移動させていく（図１０（ｃ）参照）。このときスライド移動案内部１４３ａは、座板１２の傾斜に応じて弾性変形し、座板１２のその上端部側方向へのスライド移動を案内するようになっている。そして、スライド移動案内部１４３ａと座板１２とを非接触状態として、座板１２の直立状態が案内部材１４に保持された状態を解除する。このとき、座板１２は、回動支持軸１３３が長孔１２４の下端部に係止する状態まで上方に持ち上げられる。
【００４３】
座板１２を座板１２の上端部側方向にスライド移動させ、座板１２の下端部がスライド移動案内部１４３ａから離れると、図１１(ｄ)に示すように、座板１２は反時計回り方向に回動可能になる。この座板１２の回動動作時、座板１２の上端部が反時計回り方向に回動すると同時に、座板１２の下端部も回動支持軸１３３を回動支点として反時計回り方向に回動する。これにより、折り畳み椅子１の場合と同様に、座板１２の回動時、座板１２の下端部は、その回動方向が回動動作案内部１４３ｂによって案内され、座板１２の長孔１２４と回動支持軸１３３との相対的な位置関係が一定に保たれる。なお、座板１２の下端部がスライド移動案内部１４３ａから離れた後は、スライド移動案内部１４３ａはその弾性力により元の形状に復元する。
【００４４】
座板１２が更に反時計回り方向に回動していき、座板１２の下端部が回動動作案内部１４３ｂの上端から離れ、座板１２が地面に略平行な姿勢まで回動すると、図１１(ｅ)及び図７に示すように、座板１２の下端部（図１１(ｅ)では右端部）が案内部材１４の係止部１４５に係止する。これにより、座板１２の反時計回り方向への回動が抑止され、座板１２は地面に略平行な姿勢で座板保持部材１３に保持される。
【００４５】
このように、第２の実施形態に係る折り畳み椅子１００によれば、スライド移動案内部１４３ａが弾性変形することによって、直立姿勢に保持された状態の座板１２を所定量傾斜させ、当該傾斜した状態の座板１２をその上端部側方向にスライド移動させることが可能であるので、直立姿勢で保持された状態の座板１２の真上にスライド移動のためのスペースを設けなくても座板１２をスライド移動させることができる。これにより、図６に示すように、座板１２の上部が座板保持部材１３に覆われた構成とされる場合であっても、座板１２を上方にスライド移動させてスライド移動案内部１４３ａとの係止を解除して、座板１２を回動可能な状態にすることができる。
【００４６】
【発明の効果】
以上のように本発明によれば、スライド移動案内部によって座板のスライド移動が案内されるため、かかるスライド移動時の座板の姿勢が安定する。また、回動動作案内部によって座板下部の回動動作が案内され、座板の長孔と回動支持軸との相対位置が保持されるため、座板の回動動作時における回動支持軸及び座板支持部材に対する座板の相対位置が安定する。これにより、座板使用時に、ユーザが、座板を安定した位置及び姿勢に保ちながら上方へスライド移動させたり、回動動作させる必要がなくなるので、座板の回動操作を円滑に行うことができる。
【００４７】
また、本発明に係る折り畳み椅子では、座板はスライド移動案内部との係止により直立姿勢が保持され、スライド移動案内部から離脱したときに回動可能となる構成をとり、ばね等の部材を用いることなく座板の直立姿勢の保持及び回動を行うようにしている。従って、変形・伸縮する部品を使用することなく座板の直立姿勢の保持及び回動を行うので、消耗・損傷する部品を使用する必要がなく、折り畳み椅子の製品寿命を長くすることができる。また、引きばね等の弾力性を利用して座板の直立姿勢を保持し、回動姿勢を安定化させる構成をとる従来の折り畳み椅子では、座板を回動させた時、引きばね等の弾性力によって座板が直立姿勢に戻ろうとするために、座板と座板保持部材の間に指等を挟んでしまうおそれがあったが、本発明に係る折り畳み椅子は、ばね等の部材を用いていないので、優れた安全性を発揮する。
【００４８】
また、スライド移動案内部及び回動動作案内部を、座板下部の動作に合わせた曲線形状を有する一部材で構成した場合や、スライド移動案内部及び回動動作案内部を座板下部の隅部近傍に当接するように座板保持部材に取り付ける構成とした場合は、複雑な構造を要することなく簡単な構造でもって、座板のスライド移動動作及び回動動作を案内することができる。また、スライド移動案内部及び回動動作案内部の形状を変化させることによって、座板のスライド移動動作及び回動動作の案内を、簡単に座板下部の形状・動作に対応させることができる。
【００４９】
また、スライド移動案内部が弾性変形することによって、直立姿勢に保持された状態の座板を、その上方を覆う前記座板保持部材から逃れる位置まで傾斜させ、当該座板をその上端部側方向にスライド移動可能となるように構成すれば、直立姿勢で保持された状態の座板の真上にスライド移動のためのスペースが無くても座板をスライド移動させて、座板を回動可能状態にすることが可能になる。
【００５０】
また、座板保持部材を、スライド移動案内部に直立姿勢で保持された状態にある座板の上部及び側部の少なくとも一部を覆って収納する構成とした場合においても、座板を、直立姿勢に保持された状態から所定量傾斜させてその上端部側方向にスライド移動させることにより、座板保持部材が座板上部を覆う部分を避けて座板をスライド移動させることが可能である。これにより、省スペース化のために座板の上部及び下部を座板保持部材に収納した構成が採られ、座板の真上にスライド移動のためのスペースを設けることができない場合であっても、座板の上記スライド移動動作を円滑に行うことができる。
【図面の簡単な説明】
【図１】  本発明に係る折り畳み椅子を示す斜視図であり、座板が直立状態に保持された状態を示す図である。
【図２】  本発明に係る折り畳み椅子を示す斜視図であり、座板が地面に略平行な姿勢とされた状態の折り畳み椅子を示す図である。
【図３】  上記折り畳み椅子の分解斜視図である。
【図４】  上記折り畳み椅子の案内部材を示す斜視図である。
【図５】  （ａ）乃至（ｄ）は座板の回動動作を示す折り畳み椅子の側面図である。
【図６】  本発明の第２実施形態に係る折り畳み椅子を示す斜視図であり、不使用時に座板が直立状態に保持された状態を示す図である。
【図７】  本発明の第２実施形態に係る折り畳み椅子を示す斜視図であり、座板が地面に略平行な姿勢とされた状態の折り畳み椅子を示す図である。
【図８】  座板保持部材の斜視図である。
【図９】  （ａ）は案内部材の斜視図であり、（ｂ）は（ａ）とは別角度から見た案内部材の斜視図である。
【図１０】  （ａ）乃至（ｃ）は座板の回動動作を示す第２実施形態に係る折り畳み椅子の側面図である。
【図１１】  （ｄ）（ｅ）は座板の回動動作を示す第２実施形態に係る折り畳み椅子の側面図である。
【符号の説明】
１，１００        折り畳み椅子
２，１２          座板
２４，１２４      長孔
３，１３          座板保持部材
３３，１３３      回動支持軸
４，１４          案内部材
４３，１４３      案内部
４３ａ，１４３ａ  スライド移動案内部
４３ｂ，１４３ｂ  回動動作案内部
【図１】
0003965296.tif 000002
【図２】
0003965296.tif 000003
【図３】
0003965296.tif 000004
【図４】
0003965296.tif 000005
【図５】
0003965296.tif 000006
【図６】
0003965296.tif 000007
【図７】
0003965296.tif 000008
【図８】
0003965296.tif 000009
【図９】
0003965296.tif 000010
【図１０】
0003965296.tif 000011
【図１１】
0003965296.tif 000012